(57)【要約】【課題】発光装置を小型化する。【解決手段】可撓性の基板１２Aは、第１部分２１と第２部分２２と第３部分２３とに区分される。第１部分２１には複数の発光素子３２が形成され、第２部分２２には各発光素子３２を駆動する回路部３４が形成される。基板１２Aは、第２部分２２および第３部分２３が第１部分２１に対して同じ方向に折り曲げられた状態で筐体４０Aに支持される。第１部分２１の背面側には、第１部分２１を平面状に維持するための固定部材６０Aが配置される。【選択図】図２
2011016321.tif 000002
【特許請求の範囲】
【請求項１】
第１部分と第２部分とを有する可撓性の基板と、
前記第１部分に形成された複数の発光素子と、
前記第２部分が前記第１部分に対して折り曲げられた状態で前記基板を支持する筐体と
を具備する発光装置。
【請求項２】
前記基板は、前記第１部分を挟んで前記第２部分の反対側に位置するとともに前記第１部分に対して前記第２部分と同方向に折り曲げられた第３部分を含む
請求項１の発光装置。
【請求項３】
前記第１部分と前記第２部分と前記第３部分とにわたって前記基板の表面に形成されて前記複数の発光素子を覆う封止体を具備する
請求項２の発光装置。
【請求項４】
前記第２部分および前記第３部分は、前記第１部分の背面側の空間を挟むように折り曲げられ、
前記複数の発光素子は、前記第１部分の背面側の表面に形成され、
前記第１部分の背面側の表面に間隔をあけて対向するとともに前記第２部分と前記第３部分とにわたる封止部材
を具備する請求項２または請求項３の発光装置。
【請求項５】
前記第１部分の背面側に配置され、前記第１部分に対向する平坦面を有する固定部材を具備し、
前記第１部分は、前記平坦面に沿う平面状に維持される
請求項１の発光装置。
【請求項６】
前記固定部材は、前記第１部分のうち前記第２部分とは反対側の側面に対向するように前記平坦面から突出する封止部を含み、
前記第１部分の前記側面と前記固定部材の前記封止部との間に位置する部分を含むシール材
を具備する請求項５の発光装置。
【請求項７】
前記複数の発光素子からの出射光を導く光学体を具備し、
前記封止部は、前記第１部分の側面および前記光学体の側面に対向し、
前記シール材は、前記封止部と前記光学体との間に位置する部分を含む
請求項６の発光装置。
【請求項８】
前記光学体は、
前記第１部分の光出射側に配置された透光体と、
前記透光体の光出射側に配置された集光体とを含み、
前記封止部は、前記透光体の側面および前記集光体の側面に対向し、
前記シール材は、前記封止部と前記透光体および前記集光体との間に位置する部分を含む
請求項７の発光装置。
【請求項９】
前記筐体は、
前記第２部分に対向する第１側部材と、
前記第１部分のうち前記第２部分とは反対側の側面に対向する第２側部材とを含み、
前記第１部分の前記側面と前記第２側部材との間に位置する部分を含むシール材
を具備する請求項１の発光装置。
【請求項１０】
前記複数の発光素子からの出射光を導く光学体を具備し、
前記第２側部材は、前記第１部分の側面および前記光学体の側面に対向し、
前記シール材は、前記第２側部材と前記光学体との間に位置する部分を含む
請求項９の発光装置。
【請求項１１】
前記光学体は、
前記第１部分の光出射側に配置された透光体と、
前記透光体の光出射側に配置された集光体とを含み、
前記第２側部材は、前記透光体の側面および前記集光体の側面に対向し、
前記シール材は、前記第２側部材と前記透光体および前記集光体との間に位置する部分を含む
請求項１０の発光装置。
【請求項１２】
前記第１部分の背面側に配置され、前記第１部分に対向する平坦面を有する固定部材を具備し、
前記第１部分は、前記平坦面に沿う平面状に維持され、
前記シール材は、前記固定部材と前記第２側部材との間に位置する部分を含む
請求項９から請求項１１の何れかの発光装置。
【請求項１３】
前記シール材は、前記固定部材と前記第１部分との間に位置する部分と、前記固定部材と前記第２部分との間に位置する部分とを含む
請求項６から請求項１２の何れかの発光装置。
【請求項１４】
前記第１部分の光出射側に配置されて前記複数の発光素子からの出射光を導く光学体を具備し、
前記第２部分の表面は、前記光学体の側面と同一の平面内に位置する
請求項１の発光装置。
【請求項１５】
請求項１から請求項１４の何れかの発光装置を具備する電子機器。
【発明の詳細な説明】
【技術分野】
【０００１】
本発明は、複数の発光素子を配列した発光装置の構造に関する。
【背景技術】
【０００２】
有機ＥＬ素子などの複数の発光素子を配列した発光装置は、携帯電話機などの電子機器の表示装置や電子写真方式の画像形成装置の露光装置として利用される。特許文献１や特許文献２には、発光装置の各発光素子からの出射光を屈折率分布型レンズアレイで集光することで像担持体（感光体ドラム）の表面に潜像を形成する画像形成装置が開示されている。
【０００３】
特許文献１や特許文献２の発光装置は、図１１に示すように、長尺状の基板（ＴＦＴ基板）９１に複数の発光素子９２を配置した構造である。基板９１は、特許文献２に開示されるようにガラスで形成され、屈折率分布型レンズアレイ９３の光軸に対して垂直に配置された状態で筐体９４に収容される。各発光素子９２を封止する封止ガラス９５が基板９１の背面側に配置される。
【先行技術文献】
【特許文献】
【０００４】
【特許文献１】国際公開第２００６／１２０８５８号
【特許文献２】国際公開第２００６／１２９５５２号
【発明の概要】
【発明が解決しようとする課題】
【０００５】
ところで、各発光素子９２から基板９１の周縁までの距離が短いと、例えば、各発光素子９２から封止ガラス９５の周縁（封止端）までの距離が不足することで封止が不十分になるという問題や、発光素子９２の駆動用の素子（例えば駆動トランジスタ）の形成が困難になるという問題が発生し得る。以上の問題を解消するためには、各発光素子９２から基板９１の周縁までの距離が充分に確保されるように基板９１の寸法を選定する必要があり、基板９１の小型化が制約されるという問題があった。以上の事情を考慮して、本発明は、発光装置の小型化を目的とする。
【課題を解決するための手段】
【０００６】
以上の課題を解決するために、本発明の発光装置は、第１部分と第２部分とを有する可撓性の基板と、第１部分に形成された複数の発光素子と、第２部分が第１部分に対して折り曲げられた状態で基板を支持する筐体とを具備する。以上の構成においては、基板が折り曲げられた状態で筐体に支持されるから、基板が平面状に維持されたまま支持される図１１の構成と比較して、発光装置を小型化することが可能である。なお、「可撓性」とは、破断せずに変形（折れ曲がる）できる性質を意味し、変形が弾性的であるか塑性的であるかは不問である。また、筐体は、基板の全体を収容する必要はない。
【０００７】
本発明の好適な態様において、基板は、第１部分を挟んで第２部分の反対側に位置するとともに第１部分に対して第２部分と同方向に折り曲げられた第３部分（例えば図２や図４の第３部分２３）を含む。以上の構成においては、基板の第３部分を例えば発光素子の封止や駆動用の回路の形成に利用することが可能である。例えば、複数の発光素子を覆う封止体（例えば図２や図４の封止体３６）を第１部分と第２部分と第３部分とに形成した構成によれば、各発光素子から封止の端部（封止体の周縁）までの距離が充分に確保されるから、各発光素子を有効に封止できるという利点がある。他方、第３部分は第１部分に対して第２部分とともに折り曲げられるから、第３部分を含まない構成と同様に発光装置の小型化は実現され得る。
【０００８】
本発明の好適な態様において、第２部分および第３部分は、第１部分の背面側の空間を挟むように折り曲げられ、複数の発光素子は、第１部分の背面側の表面に形成され、第１部分の背面側の表面に間隔をあけて対向するとともに第２部分と第３部分とにわたる封止部材（例えば図４の封止部材５８）が配置される。以上の態様においては、封止体による封止（例えば薄膜封止）に加えて封止部材による缶封止が実現されるから、各発光素子に対する外気や水分の接触を有効に防止できるという利点がある。
【０００９】
本発明の好適な態様に係る発光装置は、第１部分の背面側に配置され、第１部分に対向する平坦面を有する固定部材（例えば固定部材６０A，６０B，６０C，６０D）を具備し、第１部分は、平坦面に沿う平面状に維持される。以上の態様においては、固定部材により第１部分が平面状に維持されるから、発光素子の出射光を所期の方向（第１部分に垂直な方向）に安定させることが可能である。
【００１０】
ところで、基板に封止体を形成した構成や固定部材を発光素子の封止に利用する構成を採用しても、第１部分のうち第２部分とは反対側の側面（基板と封止体または固定部材との境界）から外気や水分が進入する可能性がある。そこで、本発明の第１の態様において、固定部材は、第１部分のうち第２部分とは反対側の側面（例えば図５や図７の側面１５）に対向するように平坦面から突出する封止部（例えば図５や図７の封止部６６）を含み、第１部分の側面と固定部材の封止部との間に位置する部分（例えば図５や図７の部分８３）を含むシール材（例えば図５や図７のシール材８０A）を具備する。以上の態様においては、固定部材の封止部が第１部分の側面に対向するから、第１部分の側面側からの外気や水分の進入が防止されるという利点がある。
【００１１】
第１の態様の具体例に係る発光装置は、複数の発光素子からの出射光を導く光学体を具備し、封止部は、第１部分の側面（例えば図５や図７の側面１５）および光学体の側面（例えば図５や図７の側面５２２）に対向し、シール材は、封止部と光学体との間に位置する部分（例えば図５や図７の部分８３）を含む。以上の態様においては、封止部と光学体との間にもシール材が介在するから、各発光素子から封止端までの距離を充分に確保できるという利点がある。なお、光学体が、第１部分の光出射側に配置された透光体と、透光体の光出射側に配置された集光体とを含む構成のもとでは、封止部が透光体の側面（例えば図７の側面５２２）および集光体の側面（例えば図７の側面５４２）に対向し、封止部と透光体および集光体との間に位置する部分（例えば図７の部分８３）をシール材が含む構成が好適である。以上の構成においては封止端が集光体の側面上に位置するから、さらに有効な封止が実現される。
【００１２】
本発明の第２の態様において、筐体は、第２部分に対向する第１側部材（例えば図８の第１側部材４１Bや図９の第１側部材４１C）と、第１部分のうち第２部分とは反対側の側面（例えば図８や図９の側面１５）に対向する第２側部材（例えば図８の第２側部材４２Bや図９の第２側部材４２C）とを含み、第１部分の側面と第２側部材との間に位置する部分（例えば図８や図９の部分８５）を含むシール材（例えば図８や図９のシール材８０C）を具備する。以上の態様においては、第２側部材が第１部分の側面に対向するから、第１部分の側面側からの外気や水分の進入が防止されるという利点がある。
【００１３】
第２の態様の具体例に係る発光装置は、複数の発光素子からの出射光を導く光学体を具備し、第２側部材は、第１部分の側面（例えば図８や図９の側面１５）および光学体の側面（例えば図８や図９の側面５２２）に対向し、シール材は、第２側部材と光学体との間に位置する部分（例えば図８や図９の部分８５）を含む。以上の態様においては、第２側部材と光学体との間にもシール材が介在するから、各発光素子から封止端までの距離を充分に確保できるという利点がある。なお、光学体が、第１部分の光出射側に配置された透光体と、透光体の光出射側に配置された集光体とを含む構成のもとでは、第２側部材が透光体の側面および集光体の側面に対向し、第２側部材と透光体および集光体との間に位置する部分をシール材が含む構成が好適である。以上の構成においては封止端が集光体の側面上に位置するから、さらに有効な封止が実現される。
【００１４】
第２の態様の具体例に係る発光装置は、第１部分の背面側に配置され、第１部分に対向する平坦面を有する固定部材（例えば図８の固定部材６０Cや図９の固定部材６０D）を具備し、第１部分は、平坦面に沿う平面状に維持され、シール材は、固定部材と第２側部材との間に位置する部分（例えば図８や図９の部分８７）を含む。以上の態様においては、固定部材と第２部材との間にシール材が介在するから、各発光素子から封止端までの距離を充分に確保できるという利点がある。
【００１５】
第１の態様および第２の態様の具体例において、シール材は、固定部材と第１部分との間に位置する部分と、固定部材と第２部分との間に位置する部分とを含む。以上の態様においては、第１部分や第２部分と固定部材との間にもシール材が介在するから、第１部分側からの外気や水分の進入が防止されるという利点がある。
【００１６】
本発明の好適な態様に係る発光装置は、第１部分の光出射側に配置されて複数の発光素子からの出射光を導く光学体を具備し、第２部分の表面は、光学体の側面と同一の平面内に位置する。以上の態様においては、光学体の側面と第２部分の表面とが同一の平面内に位置するから、発光装置の小型化という効果は格別に顕著となる。なお、光学体の側面と第２部分の表面とが「同一の平面内に位置する」とは、光学体の側面を含む平面と第２部分の表面を含む平面とが完全に合致する場合のほか、両者が実質的に合致する場合も包含する。「実質的に合致する場合」としては、例えば、光学体の側面を含む平面と第２部分の表面を含む平面とが例えば製造上の誤差の範囲内でずれている場合が例示される。
【００１７】
本発明に係る発光装置は各種の電子機器に利用される。本発明に係る電子機器の典型例は、以上の各態様に係る発光装置を像担持体の露光に利用した電子写真方式の画像形成装置である。画像形成装置は、露光で潜像が形成される像担持体と、像担持体を露光する本発明の発光装置と、像担持体の潜像に対する現像剤（例えばトナー）の付加によって顕像を形成する現像器とを含む。もっとも、本発明に係る発光装置の用途は像担持体の露光に限定されない。例えば、発光素子を行列状に配列した発光装置は、パーソナルコンピュータや携帯電話機など各種の電子機器の表示装置として利用される。
【図面の簡単な説明】
【００１８】
【図１】第１実施形態に係る発光装置を利用した画像形成装置の部分的な斜視図である。
【図２】第１実施形態に係る発光装置の断面図である。
【図３】第１実施形態に係る発光装置の基板の平面図である。
【図４】第２実施形態に係る発光装置の断面図である。
【図５】第３実施形態に係る発光装置の断面図である。
【図６】第３実施形態に係る発光装置の基板の平面図である。
【図７】第４実施形態に係る発光装置の断面図である。
【図８】第５実施形態に係る発光装置の断面図である。
【図９】第６実施形態に係る発光装置の断面図である。
【図１０】各実施形態の発光装置を利用した画像形成装置の構成図である。
【図１１】従来の発光装置の断面図である。
【発明を実施するための形態】
【００１９】
＜Ａ：第１実施形態＞
図１は、本発明の第１実施形態に係る発光装置１００Aを露光装置（光ヘッド）として利用した電子写真方式の画像形成装置の部分的な構造を示す斜視図である。図１に示すように、画像形成装置は、発光装置１００Aと像担持体（感光体ドラム）７０とを具備する。像担持体７０は、Ｘ方向（主走査方向）の回転軸に支持された円柱体であり、被露光面（外周面）７０Aを発光装置１００Aに対向させた状態で回転する。発光装置１００Aは、像担持体７０の露光で被露光面７０Aに潜像（静電潜像）を形成する。以下の説明では、発光装置１００Aのうちの着目した要素からみて像担持体７０側を「光出射側」と表記し、当該要素からみて像担持体７０とは反対側を「背面側」と表記する。
【００２０】
図２は、発光装置１００Aの断面図である。なお、図１と図２とでは上下（Ｚ方向）が逆転している。すなわち、図２においては、上方が光出射側（像担持体７０側）に相当し、下方が背面側に相当する。図２に示すように、発光装置１００Aは、発光体１０と筐体４０Aと回路基板４６と配線基板４８と光学体５０と固定部材６０Aとを含んで構成される。図１から理解されるように、発光装置１００Aの各要素はＸ方向に長尺に形成される。
【００２１】
図３は、発光体１０の構造を示す平面図である。図２および図３に示すように、発光体１０は、基板１２Aと複数の発光素子３２と回路部３４と封止体３６とを含んで構成される。基板１２Aは、第１面１２１と第２面１２２（図２）とを有する平板状に形成された略長方形の部材である。基板１２Aは可撓性を有する。すなわち、基板１２Aは、破断させることなく外力の付加で折り曲げる（湾曲させる）ことが可能である。基板１２Aの材料は任意であるが、例えば、ポリイミドやPET(polyethylene terephthalate)などの合成樹脂で形成されたフイルム状の板材が基板１２Aとして好適である。また、薄膜状に形成することで可撓性を持たせた硝子製の板材も基板１２Aとして採用され得る。基板１２Aの厚さは、例えば100μｍ以下（例えば数十μｍ程度）に設定される。図３には、折り曲げられていない状態の基板１２Aが図示されている。図３の符号ＤYは、折り曲げられていない状態の基板１２AのＹ方向（副走査方向）の寸法である。
【００２２】
図２および図３に示すように、基板１２Aは、Ｘ方向に延在する２本の直線Ｌ（図３の鎖線）を境界として第１部分２１と第２部分２２と第３部分２３とに区分される。第１部分２１は、第２部分２２と第３部分２３との間に位置する。第１部分２１の第１面１２１の面上にはＸ方向に配列する複数の発光素子３２が形成される。各発光素子３２は、例えば、相対向する陽極と陰極との間に有機ＥＬ材料の発光層を介在させた有機ＥＬ素子である。なお、複数の発光素子３２の配列の態様は任意である。例えば、複数の発光素子３２を複数列に配列した構成も採用される。
【００２３】
複数の発光素子３２の各々を駆動する回路部３４が基板１２Aのうち第２部分２２の第１面１２１に配置される。回路部３４は、基板１２Aの面上に各発光素子３２とともに形成されたトランジスタ（例えば、低温ポリシリコンで半導体層を形成した薄膜トランジスタ）で構成される。例えば、発光素子３２に供給される電流を自身のゲートの電位に応じて制御する駆動トランジスタが回路部３４に含まれる。
【００２４】
基板１２Aの第１面１２１の面上には封止体３６が形成される。封止体３６は、各発光素子３２および回路部３４に対する外気や水分の接触を防止するための膜体である。図２および図３に示すように、封止体３６は、第１部分２１と第２部分２２と第３部分２３とにわたって連続するように形成されて第１部分２１の発光素子３２や第２部分２２の回路部３４を被覆する（薄膜封止）。
【００２５】
図２の筐体４０Aは、発光体１０を収容および支持する要素である。筐体４０Aは、金属などの高剛性の材料で形成される。画像形成装置の本体（図示略）に筐体４０Aの両端部が固定されることで、像担持体７０に対する発光装置１００Aの位置や姿勢が決定される。図２に示すように、筐体４０Aは、第１側部材４１Aおよび第２側部材４２Aを含んで構成される。第１側部材４１Aと第２側部材４２Aとは、間隔Ｄをあけて対向する。
【００２６】
基板１２Aは、発光素子３２（第１部分２１の第１面１２１）を背面側に向けた状態で第１側部材４１Aと第２側部材４２Aとの間に収容される。各発光素子３２からの出射光は、基板１２Aを透過して光出射側に進行する。すなわち、第１実施形態の発光体１０はボトムエミッション型である。したがって、基板１２Aは光透過性の材料で形成される。ただし、トップエミッション型の発光装置も採用され得る。
【００２７】
図２に示すように、発光体１０は、基板１２Aの第２部分２２と第３部分２３とが第１部分２１に対して折り曲げられた状態で筐体４０Aに収容される。具体的には、第２部分２２と第３部分２３とは、第１部分２１の背面側（第１面１２１側）の空間を挟んで相互に対向するように第１部分２１に対して略垂直に折り曲げられる。第２部分２２は、第１側部材４１Aの表面に第２面１２２を接触させた状態で第１側部材４１Aに沿って背面側に延在する。同様に、第３部分２３は、第２側部材４２Aの表面に第２面１２２を接触させた状態で第２側部材４２Aに沿って背面側に延在する。すなわち、基板１２Aは、横断面（Ｘ方向に垂直な断面）が略Π字状となるように変形した状態で筐体４０Aに収容される。以上の説明から理解されるように、第１側部材４１Aと第２側部材４２Aとの間隔Ｄは、折り曲げられていない状態の基板１２AのＹ方向の寸法ＤY（図３）を下回る。なお、基板１２Aの第２部分２２を第１側部材４１Aに固定した構成や、基板１２Aの第３部分２３を第２側部材４２Aに固定した構成も採用され得る。
【００２８】
図２の回路基板４６には、発光素子３２や回路部３４を制御する電子回路が配置される。回路基板４６と発光体１０とは、基板１２Aの第２部分２２と回路基板４６とに接合された配線基板４８（フレキシブル配線基板）を介して電気的に接続される。配線基板４８には、回路部３４を駆動する集積回路（チップ）４８２が実装される。なお、基板１２AのＸ方向の寸法が大きい場合には、複数の配線基板４８をＸ方向に配列して基板１２Aに実装した構成が好適に採用される。
【００２９】
図２に示すように、基板１２Aの第１部分２１の光出射側には光学体５０が配置される。光学体５０は、各発光素子３２からの出射光を像担持体７０に導く光学系である。光学体５０は、透光体５２と集光体５４とを含んで構成される。透光体５２は、光透過性の材料で形成された部材である。図２に示すように、透光体５２は、第１側部材４１Aと第２側部材４２Aとに挟持された状態で基板１２Aの第１部分２１と集光体５４との間に配置される。透光体５２のうち発光体１０との対向面は平坦面５２１である。平坦面５２１が第１部分２１の第２面１２２に密着した状態で透光体５２は基板１２Aに固定（例えば接着）される。各発光素子３２からの出射光は、基板１２Aと透光体５２とを透過したうえで集光体５４に入射する。太陽光や照明光などの外光が光学体５０に入射しないように、筐体４０Aは遮光性の材料で形成される。
【００３０】
集光体５４は、発光素子３２からの出射光を像担持体７０の被露光面７０Aに集光（結像）させる。具体的には、集光体５４は、横断面内で屈折率が変化する複数の屈折率分布型レンズの作用で像担持体７０の被露光面７０Aに等倍正立像を形成するレンズアレイである。集光体５４は透光体５２に固定（例えば接着）される。集光体５４からの出射光が像担持体７０の被露光面７０Aで結像するように透光体５２の寸法（第１部分２１と集光体５４との間隔）が選定される。すなわち、透光体５２は、各発光素子３２と集光体５４との相対的な位置を決定するスペーサとして機能する。
【００３１】
第１部分２１の背面側には固定部材６０Aが配置される。固定部材６０Aは、硝子や金属（例えばアルミニウム）などの高剛性の材料で形成される。固定部材６０Aの両端部は、例えば筐体４０Aに固定される。固定部材６０Aは、第１部分２１の第１面１２１（封止体３６）に対向する平坦面６２を有する。基板１２Aは、封止体３６の表面が固定部材６０Aの平坦面６２に接触した状態で固定部材６０Aに固定（例えば接着）される。基板１２Aの第１部分２１は、透光体５２の平坦面５２１と固定部材６０Aの平坦面６２とに挟まれることで平面状に保持される。
【００３２】
以上の形態においては、基板１２Aが折り曲げられた状態で筐体４０Aに収容されるから、基板９１が平面状に保持されたまま筐体９４に収容される図１１の構成と比較して、発光装置１００AのＹ方向の寸法を削減することが可能である。具体的には、第１側部材４１Aと第２側部材４２Aとの間隔Ｄが基板１２Aの寸法ＤYを下回るように筐体４０Aを小型化することが可能である。
【００３３】
また、第１部分２１と第２部分２２と第３部分２３とにわたって封止体３６が形成されるから、各発光素子３２から封止体３６の周縁（封止端）までの距離が充分に確保される。したがって、発光素子３２に対する外気や水分の接触が有効に防止されるという利点がある。基板９１を平板状に維持したまま筐体９４に収容する図１１の構成では、封止面積の増大（基板の大型化）が発光装置の大型化に直結するから、封止性能の向上と発光装置の小型化とを両立することは困難である。第１実施形態においては、有効な封止のために封止体３６の面積を充分に確保した場合でも、基板１２Aを折り曲げることで発光装置１００Aの小型化が実現される。すなわち、封止性能の向上と発光装置１００Aの小型化との両立が可能である。
【００３４】
また、特許文献１や特許文献２の構成では、基板９１上に形成される回路の規模の増大（基板９１の大型化）が発光装置の大型化に直結するから、発光装置の小型化のためには基板９１上の回路の規模が制約される。他方、第１実施形態においては、回路部３４を形成した第２部分２２が第１部分２１に対して折り曲げられるから、回路部３４の規模に関わらず発光装置１００のＹ方向の寸法を削減できるという利点もある。
【００３５】
なお、以上のように第２部分２２と第３部分２３とを第１部分２１に対して折り曲げる構成のもとで第１部分２１を何ら拘束しない場合には第１部分２１が曲面状に湾曲する可能性がある。第１部分２１が湾曲した状態では、各発光素子３２からの出射光の方向が安定しない（第１部分２１の湾曲の程度に応じて出射光の方向が変化する）という問題がある。第１実施形態においては、透光体５２の平坦面５２１と固定部材６０Aの平坦面６２とに挟持されることで第１部分２１が平面状に保持されるから、各発光素子３２からの出射光が目標の方向に安定するという利点がある。
【００３６】
＜Ｂ：第２実施形態＞
次に、本発明の第２実施形態について説明する。なお、以下の各形態において作用や機能が第１実施形態と同等である要素については、以上と同じ符号を付して各々の詳細な説明を適宜に省略する。
【００３７】
図４は、第２実施形態に係る発光装置１００Bの断面図である。図４に示すように、発光装置１００Bは、第１実施形態の発光装置１００Aに封止部材５８を追加した構成である。封止部材５８は、基板１２Aの第１部分２１の背面側の空間（第２部分２２と第３部分２３とを内壁面として第１部分２１を底面とする空間）Ｒを閉塞する部材である。例えば硝子製の板材が封止部材５８として採用される。
【００３８】
封止部材５８は、第１部分２１の第１面１２１に間隔をあけて対向した状態で第２部分２２と第３部分２３との間に配置される。具体的には、封止部材５８のうち第２部分２２との対向面はシール材５８３を介して第２部分２２の第１面１２１に接合され、封止部材５８のうち第３部分２３との対向面はシール材５８５を介して第３部分２３の第１面１２１に接合される。また、封止部材５８のＸ方向の両端部には、第１部分２１と第２部分２２と第３部分２３とで包囲された空間Ｒを閉塞する部分（図示略）が形成される。したがって、基板１２A（第１部分２１，第２部分２２，第３部分２３）と封止部材５８とで包囲された閉空間Ｒが画定される（缶封止）。閉空間Ｒには不活性ガス（例えば窒素）が充填される。また、封止部材５８のうち第１部分２１との対向面には乾燥剤５８１が配置（例えば塗布）される。
【００３９】
第２実施形態においても第１実施形態と同様の効果が実現される。また、第２実施形態においては、封止体３６による薄膜封止に加えて封止部材５８による缶封止が発光素子３２の封止に採用される。したがって、発光素子３２に対する外気や水分の接触を第１実施形態よりも確実に防止できるという利点がある。なお、薄膜封止の代わりに缶封止を採用した構成（すなわち、図４から封止体３６を省略した構成）も採用され得る。
【００４０】
＜Ｃ：第３実施形態＞
図５は、本発明の第３実施形態に係る発光装置１００Cの断面図である。図５に示すように、発光装置１００Cは、第１実施形態の発光装置１００Aにおける基板１２Aおよび固定部材６０Aを基板１２Bおよび固定部材６０Bに置換した構成である。図６に示すように、基板１２Bは、Ｘ方向に延在する直線Ｌ（鎖線）を境界として第１部分２１と第２部分２２とに区分される。第１実施形態と同様に、第１部分２１の第１面１２１には複数の発光素子３２が形成され、第２部分２２の第１面１２１には回路部３４が形成される。すなわち、第３実施形態の基板１２Bは、第１実施形態の基板１２Aの第３部分２３を省略した構成である。
【００４１】
基板１２Bの第１面１２１には、第１部分２１と第２部分２２とにわたる封止体３６が形成される。封止体３６は、第１部分２１のうち第２部分２２とは反対側の周縁まで形成される。図５に示すように、基板１２Bが筐体４０Aに収容された状態では、基板１２Bの第１部分２１のうち第２部分２２とは反対側の側面１５（封止体３６の側面）と透光体５２の側面５２２とが同一の平面内に位置する（いわゆる面一である）。
【００４２】
固定部材６０Bは、固定部６４と封止部６６とを含んで構成される。固定部６４と封止部６６とは例えば一体に形成される。固定部６４は、第１実施形態の固定部材６０Aと同様に、平坦面６２を基板１２Bの第１部分２１に対向させた状態で第１部分２１の背面側に配置される。封止部６６は、基板１２Bの第１部分２１の側面１５（側面１５と封止体３６との境界Ｅ0）に対向するように平坦面６２から光出射側に突出した部分である。第３実施形態の封止部６６は、第１部分２１の側面１５に加えて透光体５２の側面５２２にも対向するように寸法（平坦面６２からの高さ）が選定される。
【００４３】
基板１２Bと固定部材６０Bとはシール材（接着剤）８０Aで相互に固定される。図５に示すように、シール材８０Aは、相連続する部分８１と部分８２と部分８３とを含む。部分８１は、基板１２Bの第２部分２２の第１面１２１と固定部材６０Bの側面６８１との間に介在する。部分８２は、第１部分２１の第１面１２１と固定部材６０Bの平坦面６２との間に介在する。部分８３は、第１部分２１の側面１５（封止体３６の側面）および透光体５２の側面５２２と封止部６６との間に介在する。以上の構成のシール材８０Aは、基板１２Bと固定部材６０Bとを固定する機能に加えて、各発光素子３２を封止体３６とともに封止する機能を実現する。具体的には、各発光素子３２は、第２部分２２の面上に位置する部分８１の周縁Ｅ1から透光体５２の面上に位置する部分８３の周縁Ｅ2までにわたって封止される。すなわち、発光素子３２が封止される領域の端部（封止端）は周縁Ｅ1および周縁Ｅ2である。
【００４４】
第３実施形態においても第１実施形態と同様の効果が実現される。また、第３実施形態の基板１２Bは第１実施形態の第３部分２３を含まないから、第１実施形態と比較して発光装置１００が小型化され得る。
【００４５】
なお、第３部分２３を省略した構成において、第１部分２１の側面１５を外気に露出させた場合（すなわち、封止体３６を省略した場合）には、第１部分２１の側面１５と封止体３６の側面との境界Ｅ0が封止端となる。したがって、発光素子３２から封止端までの距離が不足して封止性能が低下するという問題が発生し得る。第３実施形態においては、第１部分２１と封止体３６との境界Ｅ0を覆うように封止部６６がシール材８０Aで基板１２Bに接合されるから、シール材８０Aの部分８３の周縁Ｅ2が封止端となる。すなわち、基板１２Bが第３部分２３を含まない構成にも関わらず、発光素子３２から封止端までの距離が充分に確保される。したがって、発光素子３２を有効に封止することが可能である。特に、図５の例示においては、シール材８０Aの部分８３が透光体５２の側面５２４まで延在するから、例えば部分８３が第１部分２１の側面１５までしか形成されない構成と比較すると、発光素子３２の封止の効果は格別に顕著である。
【００４６】
また、シール材８０Aは、第２部分２２と固定部材６０Bとの間に介在する部分８１も含むから、第２部分２２側からの外気や水分の進入も有効に防止される。もっとも、部分８１を省略した構成も採用され得る。
【００４７】
＜Ｄ：第４実施形態＞    
図７は、第４実施形態に係る発光装置１００Dの断面図である。発光装置１００Dにおける固定部材６０Bの封止部６６は、固定部６４の平坦面６２から集光体５４の側面５４２まで延在する。シール材８０Aのうち封止部６６に接触する部分８３は、基板１２Bの第１部分２１の側面１５と透光体５２の側面５２２と集光体５４の側面５４２とにわたって連続する。すなわち、シール材８０Aの部分８３のうち集光体５４の側面５４２の面上に位置する周縁Ｅ2が封止端となる。以上の構成によれば、各発光素子３２から封止端までの距離が図５の構成と比較して増加するから、第３実施形態と比較して封止性能を向上させることが可能である。
【００４８】
＜Ｅ：第５実施形態＞
図８は、本発明の第５実施形態に係る発光装置１００Eの断面図である。図８に示すように、発光装置１００Eは、第１実施形態の発光装置１００Aにおける基板１２Aと固定部材６０Aと筐体４０Aとを基板１２Cと固定部材６０Cと筐体４０Bとに置換した構成である。
【００４９】
基板１２Cは、第３実施形態や第４実施形態の基板１２Bと同様に、複数の発光素子３２が形成された第１部分２１と、回路部３４が形成された第２部分２２とに区分される。封止体３６は、第１部分２１と第２部分２２とにわたって連続する。そして、図８に示すように、基板１２Cが筐体４０Bに収容された状態において、第２部分２２の第２面１２２が透光体５２の側面５２４および集光体５４の側面５４４と同一の平面内に位置する（いわゆる面一となる）ように、第２部分２２は第１部分２１に対して折り曲げられる。第１部分２１のうち第２部分２２とは反対側の側面１５が透光体５２の側面５２２や集光体５４の側面５４２と同一の平面内に位置する構成は第３実施形態や第４実施形態と同様である。
【００５０】
固定部材６０Cは、第１実施形態の固定部材６０Aと同様に、基板１２Cの第１部分２１の第１面１２１に平坦面６２を対向させた状態で第１部分２１の背面側に配置される。図８に示すように、固定部材６０Cの側面６８２は、第１部分２１の側面１５や透光体５２の側面５２２と同一の平面内に位置する。
【００５１】
筐体４０Bは、相対向する第１側部材４１Bおよび第２側部材４２Bとを含んで構成される。第１側部材４１Bおよび第２側部材４２Bは、遮光性の材料で形成された平面状の板材である。第１側部材４１Bと第２側部材４２Bとの間に基板１２Cおよび光学体５０が収容および支持される。基板１２Cおよび光学体５０はシール材８０Bで第１側部材４１Bに固定される。具体的には、基板１２Cの第２部分２２の第２面１２２と透光体５２の側面５２４と集光体５４の側面５４４（一部）とがシール材８０Bで第１側部材４１Bの表面（平坦面）に固定される。すなわち、シール材８０Bは、第１側部材４１Bの表面のうち基板１２Cの第２部分２２の周縁Ｅ3から第１側部材４１Bの表面のうち光出射側の周縁Ｅ4まで連続する。
【００５２】
また、基板１２Cと光学体５０とはシール材８０Cで第２側部材４２Bに固定される。シール材８０Cは、相連続する部分８１と部分８２と部分８５と部分８７とを含んで構成される。第３実施形態と同様に、第２部分２２の第１面１２１（封止体３６の表面）と固定部材６０Cの側面６８１とが部分８１で固定され、第１部分２１の第１面１２１と固定部材６０Cの平坦面６２とが部分８２で固定される。
【００５３】
シール材８０Cの部分８５は、基板１２Cおよび光学体５０と第２側部材４２Bとの間に介在して両者を固定し、部分８７は、固定部材６０Cと第２側部材４２Bとの間に介在して両者を固定する。具体的には、基板１２Cの側面１５と透光体５２の側面５２２と集光体５４の側面５４２（一部）とが部分８５で第２側部材４２Bの表面（平坦面）に固定され、固定部材６０Cの側面６８２が部分８７で第２側部材４２Bの表面に固定される。すなわち、シール材８０Cは、第２側部材４２Bの表面上で部分８７の周縁Ｅ5から部分８５の周縁Ｅ6（第２側部材４２Bの周縁）まで連続する。
【００５４】
第５実施形態においても第１実施形態と同様の効果が実現される。また、第５実施形態においては、基板１２Cにおける第２部分２２の第２面１２２が光学体５０の表面（側面５２４および側面５４４）と同一の平面内に位置し、固定部材６０Cの側面６８２と基板１２Cの側面１５とが光学体５０の表面（側面５２２および側面５４２）と同一の平面内に位置するから、第１側部材４１Bおよび第２側部材４２Bの間隔Ｄが光学体５０のＹ方向の寸法まで低減される。したがって、発光装置１００のＹ方向の寸法を縮小できるという効果は、第１実施形態から第４実施形態と比較して格別に顕著である。
【００５５】
また、基板１２Cの第１部分２１と封止体３６との境界Ｅ0を覆うようにシール材８０Cの部分８５が形成されるから、部分８７の周縁Ｅ5や部分８５の周縁Ｅ6が発光素子３２の封止端となる。すなわち、基板１２Cが第３部分２３を含まない構成にも関わらず、発光素子３２から封止端までの距離を充分に確保することが可能である。したがって、発光素子３２に対する外気や水分の接触を有効に防止できるという利点がある。特に、図８の例示においては、シール材８０Cの部分８５が集光体５４の側面５４２まで延在するから、例えば部分８５が第１部分２１の側面１５や透光体５２の側面５２２までしか延在しない構成と比較して、発光素子３２の封止の効果は格別に顕著である。ただし、第１部分２１の側面１５や透光体５２の側面５２２まで部分８５を延在させた構成も採用され得る。
【００５６】
＜Ｆ：第６実施形態＞
図９は、本発明の第６実施形態に係る発光装置１００Fの断面図である。図９に示すように、発光装置１００Fは、第５実施形態の発光装置１００Eの筐体４０Bおよび固定部材６０Cを筐体４０Cおよび固定部材６０Dに置換した構成である。筐体４０Cは、第５実施形態の筐体４０Bと同様に、第１側部材４１Cと第２側部材４２Cとを含んで構成される。第１側部材４１Cおよび第２側部材４２Cは、遮光性の材料で形成された平面状の板材である。
【００５７】
第５実施形態では筐体４０Bが画像形成装置の本体に固定されるのに対し、第６実施形態では筐体４０Cは画像形成装置の本体に固定されない。すなわち、筐体４０Cは、発光体１０や光学体５０を保護する保護カバーとして機能し、発光装置１００Fを画像形成装置の本体に固定する要素（フレーム）としては機能しない。したがって、第６実施形態の筐体４０Cは、第１実施形態から第５実施形態の筐体４０（４０A，４０B）と比較して低剛性の材料（例えば樹脂材料）で形成される。
【００５８】
固定部材６０Dは、発光装置１００を像担持体７０に対して所定の位置および姿勢に固定するフレームとして機能する。具体的には、固定部材６０DのＸ方向の両端部が画像形成装置の本体に固定される。図９に示すように、固定部材６０Dは、部分６１Aと部分６１Bと部分６１Cとを含んで構成される。部分６１Aはシール材８０Cの部分８１で基板１２Cの第２部分２２に固定され、部分６１Bはシール材８０Cの部分８２で基板１２Cの第１部分２１に固定される。
【００５９】
部分６１Cのうち第２側部材４２Bに対向する表面は、基板１２Cの第１部分２１の側面１５や透光体５２の側面５２２（さらに集光体５４の側面５４２）と同一の平面内に位置する。第２側部材４２Cは、第５実施形態と同様に基板１２Cの側面１５や光学体５０に対してシール材８０Cの部分８５で固定され、固定部材６０Dの部分６１Cに対してシール材８０Cの部分８７で固定される。部分６１Cのうち第２側部材４２Cとは反対側の表面には回路基板４６が固定される。
【００６０】
以上の説明から理解されるように、発光装置１００の固定に利用される固定部材６０Dと発光体１０の保護や遮光に利用される筐体４０Cとが協働して発光素子３２を封止する。第６実施形態においても第５実施形態と同様の効果が実現される。なお、筐体４０Cとは別個の固定部材６０Dで発光装置１００の位置や姿勢を固定する第６実施形態の構成は、第１実施形態から第５実施形態にも同様に適用され得る。
【００６１】
＜Ｇ：変形例＞
以上の形態には様々な変形が加えられる。具体的な変形の態様を以下に例示する。以下の例示から任意に選択された２以上の態様は併合され得る。
【００６２】
（１）変形例１  
光学体５０の具体的な構成は適宜に変更される。例えば透光体５２は省略され得る。透光体５２を省略した構成でも、例えば基板１２（１２A，１２B，１２C）の第１部分２１を固定部材６０（６０A，６０B，６０C）の平坦面６２に固定することで、第１部分２１を平面状に保持することは可能である。また、各発光素子３２からの出射光を集光するマイクロレンズアレイを集光体５４として採用した構成も採用され得る。すなわち、光学体５０は、各発光素子３２からの出射光を導く要素として包括される。
【００６３】
（２）変形例２  
以上の各形態においては第１側部材４１（４１A，４１B，４１C）と第２側部材４２（４２A，４２B，４２C）とを別体としたが、第１側部材４１と第２側部材４２とを一体に形成した構成も好適である。ただし、第１側部材４１と第２側部材４２とを別体とした構成によれば、例えば、第１側部材４１の面上に基板１２（１２A，１２B，１２C）や光学体５０や固定部材６０（６０A，６０B，６０C，６０D）を配置したうえで第２側部材４２を第１側部材４１に固定するという手順で発光装置１００（１００A〜１００F）の組立てが完了する。したがって、製造工程の簡素化という観点からすると、第１側部材４１と第２側部材４２とを別体とした構成が好適である。
【００６４】
（３）変形例３  
以上に例示した各形態の構成は適宜に併合される。例えば、第２部分２２の第２面１２２が光学体５０の側面（側面５２４および側面５４４）と同一の平面内に位置する第５実施形態（図８）や第６実施形態（図９）の構成は、第１実施形態から第４実施形態にも同様に適用される。また、第１実施形態や第２実施形態における第３部分２３にも同様の構成（すなわち、第３部分２３の第２面１２２が光学体５０の側面と同一の平面内に位置する構成）が採用される。
【００６５】
（４）変形例４  
以上の各形態においては集積回路を配線基板に実装したが、基板１２（１２A，１２B，１２C）に集積回路を実装した構成も採用される。また、回路部３４が形成される位置は基板１２（１２A，１２B，１２C）に限定されない。例えば、配線基板に実装された集積回路に回路部３４が内蔵された構成も好適である。
【００６６】
（５）変形例５  
以上の各形態に例示した要素は適宜に省略され得る。例えば、固定部材６０（６０A，６０B，６０C，６０D）を省略した構成や、シール材８０（８０A，８０C）の部分８１や部分８２を省略した構成も採用され得る。また、第１側部材４１（４１A，４１B，４１C）または第２側部材４２（４２A，４２B，４２C）は省略され得る。
【００６７】
（６）変形例６  
有機ＥＬ素子は発光素子３２の例示に過ぎない。例えば、無機ＥＬ素子やＬＥＤ（Light Emitting Diode）素子などの発光素子を利用した発光装置にも以上の各形態と同様に本発明が適用される。すなわち、本発明における発光素子は、電気エネルギの供給で発光する被駆動素子（典型的には電流駆動型の自発光素子）として包括される。
【００６８】
＜Ｈ：応用例＞
次に、本発明に係る発光装置を利用した電子機器について説明する。図１０は、以上の各形態の発光装置１００（１００A〜１００F）を露光装置として利用した電子機器（画像形成装置）の模式図である。画像形成装置は、タンデム型のフルカラー画像形成装置であり、以上の各形態に係る４個の発光装置１００（１００K，１００C，１００M，１００Y）と、各発光装置１００に対応する４個の感光体ドラム７０（７０K，７０C，７０M，７０Y）とを具備する。各発光装置１００は、当該発光装置１００に対応した感光体ドラム７０の被露光面７０A（外周面）と対向するように配置される。なお、図１０の各符号の添字「K」「C」「M」「Y」は、黒（Ｋ）、シアン（Ｃ）、マゼンダ（Ｍ）、イエロー（Ｙ）の各顕像の形成に利用されることを意味している。
【００６９】
図１０に示すように、駆動ローラ７１１と従動ローラ７１２とには無端の中間転写ベルト７２が巻回される。４個の感光体ドラム７０は、相互に所定の間隔をあけて中間転写ベルト７２の周囲に配置される。各感光体ドラム７０は、中間転写ベルト７２の駆動に同期して回転する。
【００７０】
各感光体ドラム７０の周囲には、発光装置１００のほかにコロナ帯電器７３１（７３１K，７３１C，７３１M，７３１Y）と現像器７３２（７３２K，７３２C，７３２M，７３２Y）とが配置される。コロナ帯電器７３１は、これに対応する感光体ドラム７０の被露光面７０Aを一様に帯電させる。この帯電した被露光面７０Aを各発光装置１００が露光することで静電潜像が形成される。各現像器７３２は、静電潜像に現像材（トナー）を付着させることで感光体ドラム７０に顕像（可視像）を形成する。
【００７１】
以上のように感光体ドラム７０に形成された各色（黒・シアン・マゼンタ・イエロー）の顕像が中間転写ベルト７２の表面に順次に転写（一次転写）されることでフルカラーの顕像が形成される。中間転写ベルト７２の内側には４個の一次転写コロトロン（転写器）７４（７４K，７４C，７４M，７４Y）が配置される。各一次転写コロトロン７４は、これに対応する感光体ドラム７０から顕像を静電的に吸引することによって、感光体ドラム７０と一次転写コロトロン７４との間隙を通過する中間転写ベルト７２に顕像を転写する。
【００７２】
用紙（記録材）７５は、ピックアップローラ７６１によって給紙カセット７６２から１枚ずつ給送され、中間転写ベルト７２と二次転写ローラ７７との間のニップに搬送される。中間転写ベルト７２の表面に形成されたフルカラーの顕像は、二次転写ローラ７７によって用紙７５の片面に転写（二次転写）され、定着ローラ対７８を通過することで用紙７５に定着される。排紙ローラ対７９は、以上の工程を経て顕像が定着された用紙７５を排出する。
【００７３】
以上に例示した画像形成装置は有機ＥＬ素子を光源として利用しているので、レーザ走査光学系を利用した構成よりも装置が小型化される。なお、以上に例示した以外の構成の画像形成装置にも発光装置１００を適用することができる。例えば、ロータリ現像式の画像形成装置や、中間転写ベルトを使用せずに感光体ドラム７０から用紙に対して直接的に顕像を転写するタイプの画像形成装置、あるいはモノクロの画像を形成する画像形成装置にも発光装置１００を利用することが可能である。
【００７４】
また、発光素子３２を行列状に配列した発光装置は、各種の電子機器の表示装置としても利用される。本発明が適用される電子機器としては、例えば、可搬型のパーソナルコンピュータ、携帯電話機、携帯情報端末（ＰＤＡ：Personal Digital Assistants）、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器などがある。
【符号の説明】
【００７５】
１００（１００A，１００B，１００C，１００D，１００E，１００F）……発光装置、１０……発光体、１２（１２A，１２B，１２C）……基板、２１……第１部分、２２……第２部分、２３……第３部分、３２……発光素子、３４……回路部、３６……封止体、４０（４０A，４０B，４０C）……筐体、４１（４１A，４１B，４１C）……第１側部材、４２（４２A，４２B，４２C）……第２側部材、４６……回路基板、４８……配線基板、５０……光学体、５２……透光体、５４……集光体、６０（６０A，６０B，６０C，６０D）……固定部材、８０（８０A，８０B，８０C）……シール材。
【図１】
2011016321.tif 000003
【図２】
2011016321.tif 000004
【図３】
2011016321.tif 000005
【図４】
2011016321.tif 000006
【図５】
2011016321.tif 000007
【図６】
2011016321.tif 000008
【図７】
2011016321.tif 000009
【図８】
2011016321.tif 000010
【図９】
2011016321.tif 000011
【図１０】
2011016321.tif 000012
【図１１】
2011016321.tif 000013